(57)【要約】【課題】利便性良好にテレビジョン放送を録画する。【解決手段】デジタル放送受信機のＨＤＤ１８は、受信部１５を介して受信された映像情報を格納する映像記憶部１８１を備え、ＣＰＵ１１は、受信部１５を介して受信された映像情報をディスプレイ１７２に出力する映像表示部１１２と、受信部１５を介してテレビジョン放送を受信することができるか否かを判定する受信可否判定部１１１と、受信部１５を介してテレビジョン放送が受信されているか否かを判定する受信処理判定部１１３と、テレビジョン放送を受信することができると判定され、且つ、テレビジョン放送が受信されていないと判定された場合に、受信部１５を介して予め設定されたチャンネルのテレビジョン放送を受信し、受信された映像情報を映像記憶部１８１に書き込む映像記録部１１７と、を備えている。【選択図】図２
2008288645.tif 000002
【特許請求の範囲】
【請求項１】
携帯可能に構成され、テレビジョン放送を受信して、受信した映像情報を外部から視認可能にモニタに出力する携帯受信装置であって、
テレビジョン放送を受信する受信手段と、
前記受信手段を介して受信された映像情報をモニタに出力する映像表示手段と、
前記受信手段を介して受信された映像情報を格納する映像記憶手段と、
前記受信手段を介してテレビジョン放送を受信することができるか否かを判定する受信可否判定手段と、
前記受信手段を介してテレビジョン放送が受信されているか否かを判定する受信処理判定手段と、
前記受信可否判定手段によってテレビジョン放送を受信することができると判定され、且つ、前記受信処理判定手段によってテレビジョン放送が受信されていないと判定された場合に、前記受信手段を介して予め設定されたチャンネルのテレビジョン放送を受信し、受信された映像情報を前記映像記憶手段に書き込む映像記録手段と、
を備えることを特徴とする携帯受信装置。
【請求項２】
外部からの操作入力を受け付けて、受け付けられた操作入力に基づいて、前記映像記憶手段に格納された複数の映像情報の中から１の映像情報を選択する映像選択手段を備え、
前記映像表示手段は、前記映像選択手段によって選択された１の映像情報を前記映像記憶手段から読み出し、モニタに出力することを特徴とする請求項１に記載の携帯受信装置。
【請求項３】
前記テレビジョン放送は、デジタル方式のテレビジョン放送であって、
外部からの操作入力を受け付けて、受け付けられた操作入力に基づいて、ジャンル情報を設定するジャンル設定手段と、
前記受信手段を介してＥＰＧ（Ｅｌｅｃｔｒｏｎｉｃ  Ｐｒｏｇｒａｍ  Ｇｕｉｄｅ）情報を取得し、取得されたＥＰＧ情報から受信可能な番組のジャンル情報を抽出するジャンル取得手段と、
前記ジャンル取得手段によって取得されたジャンル情報に基づき、前記受信手段を介して受信可能な番組の中から、前記ジャンル設定手段によって設定されたジャンル情報と一致するジャンル情報を有する番組を選択する番組選択手段と、
を備え、
前記映像記録手段は、前記番組選択手段によって選択された番組に対応するテレビジョン放送を受信して、受信された映像情報を前記映像記憶手段に書き込むことを特徴とする請求項１又は請求項２に記載の携帯受信装置。
【請求項４】
前記映像記憶手段に格納された映像情報が、予め設定された第１上限容量に到達した場合に、前記映像記録手段によって前記映像記憶手段に格納された順に、前記第１上限容量未満の予め設定された第２上限容量に到達するまで、前記映像記憶手段に格納された映像情報を消去する映像消去手段を備えることを特徴とする請求項１〜請求項３のいずれかに記載の携帯受信装置。
【発明の詳細な説明】
【技術分野】
【０００１】
本発明は、携帯可能に構成され、テレビジョン放送を受信して、受信した映像情報を外部から視認可能にモニタに出力する携帯受信装置に関する。
【背景技術】
【０００２】
携帯可能に構成され、テレビジョン放送を受信して、受信した映像情報を外部から視認可能にモニタに出力する携帯電話等の携帯受信装置において、受信した映像情報を録画する種々の装置、方法等が提案されている。
【０００３】
例えば、タイマ部が録画可否判定時刻を計時すると、メモリ部に記憶した予約番組の受信状況を判定するために、その判定信号をチューナ部及び復調部から取得し、録画可否判定を行い、予約録画不能な状態にあると判定した場合、その状態を、予約録画を行ったユーザに報知する携帯電話機が開示されている（特許文献１参照）。上記携帯電話機によれば、ユーザは予約録画開始時刻前の早い時間帯に於いて、例えば録画開始時刻までに受信状態を改善する対処、又は、他の機器に録画を委ねる対処等を採ることができる。
【特許文献１】特開２００６−１８６６７３号公報
【発明の開示】
【発明が解決しようとする課題】
【０００４】
しかしながら、上記携帯電話機等の従来の携帯受信装置では、いわゆる予約録画を行うために、ＥＰＧ（Ｅｌｅｃｔｒｏｎｉｃ  Ｐｒｏｇｒａｍ  Ｇｕｉｄｅ）等を介して録画する番組を設定する必要があり、その操作が煩雑である場合があった。また、録画予約がされている場合であっても、受信状態が悪い場合には、録画できないことがあり、ユーザがテレビジョン放送の視聴を所望しても、録画された番組がなく、視聴できない場合があった。
【０００５】
本発明は、上記課題に鑑みてなされたものであって、利便性良好にテレビジョン放送を録画することの可能な携帯受信装置を提供することを目的としている。
【課題を解決するための手段】
【０００６】
上記目的を達成するために請求項１に記載の携帯受信装置は、携帯可能に構成され、テレビジョン放送を受信して、受信した映像情報を外部から視認可能にモニタに出力する携帯受信装置であって、テレビジョン放送を受信する受信手段と、前記受信手段を介して受信された映像情報をモニタに出力する映像表示手段と、前記受信手段を介して受信された映像情報を格納する映像記憶手段と、前記受信手段を介してテレビジョン放送を受信することができるか否かを判定する受信可否判定手段と、前記受信手段を介してテレビジョン放送が受信されているか否かを判定する受信処理判定手段と、前記受信可否判定手段によってテレビジョン放送を受信することができると判定され、且つ、前記受信処理判定手段によってテレビジョン放送が受信されていないと判定された場合に、前記受信手段を介して予め設定されたチャンネルのテレビジョン放送を受信し、受信された映像情報を前記映像記憶手段に書き込む映像記録手段と、を備えることを特徴としている。
【０００７】
請求項２に記載の携帯受信装置は、請求項１に記載の携帯受信装置であって、外部からの操作入力を受け付けて、受け付けられた操作入力に基づいて、前記映像記憶手段に格納された複数の映像情報の中から１の映像情報を選択する映像選択手段を備え、前記映像表示手段が、前記映像選択手段によって選択された１の映像情報を前記映像記憶手段から読み出し、モニタに出力することを特徴としている。
【０００８】
請求項３に記載の携帯受信装置は、請求項１又は請求項２に記載の携帯受信装置であって、前記テレビジョン放送がデジタル方式のテレビジョン放送であって、外部からの操作入力を受け付けて、受け付けられた操作入力に基づいて、ジャンル情報を設定するジャンル設定手段と、前記受信手段を介してＥＰＧ（Ｅｌｅｃｔｒｏｎｉｃ  Ｐｒｏｇｒａｍ  Ｇｕｉｄｅ）情報を取得し、取得されたＥＰＧ情報から受信可能な番組のジャンル情報を抽出するジャンル取得手段と、前記ジャンル取得手段によって取得されたジャンル情報に基づき、前記受信手段を介して受信可能な番組の中から、前記ジャンル設定手段によって設定されたジャンル情報と一致するジャンル情報を有する番組を選択する番組選択手段と、を備え、前記映像記録手段が、前記番組選択手段によって選択された番組に対応するテレビジョン放送を受信して、受信された映像情報を前記映像記憶手段に書き込むことを特徴としている。
【０００９】
請求項４に記載の携帯受信装置は、請求項１〜請求項３のいずれかに記載の携帯受信装置であって、前記映像記憶手段に格納された映像情報が、予め設定された第１上限容量に到達した場合に、前記映像記録手段によって前記映像記憶手段に格納された順に、前記第１上限容量未満の予め設定された第２上限容量に到達するまで、前記映像記憶手段に格納された映像情報を消去する映像消去手段を備えることを特徴としている。
【発明の効果】
【００１０】
請求項１に記載の携帯受信装置によれば、受信手段を介してテレビジョン放送が受信され、受信された映像情報がモニタに出力される。また、受信手段を介してテレビジョン放送を受信することができるか否かが判定され、受信手段を介してテレビジョン放送が受信されているか否かが判定される。そして、テレビジョン放送を受信することができると判定され、且つ、テレビジョン放送が受信されていないと判定された場合に、受信手段を介して予め設定されたチャンネルのテレビジョン放送が受信され、受信された映像情報が映像記憶手段に書き込まれるため、利便性良好にテレビジョン放送を録画することができる。
【００１１】
すなわち、テレビジョン放送を受信することができると判定され、且つ、テレビジョン放送が受信されていないと判定された場合（＝受信可能状態にあるが、テレビジョン放送が視聴されていない場合）に、受信手段を介して予め設定されたチャンネルのテレビジョン放送が受信され、受信された映像情報が映像記憶手段に書き込まれるため、ユーザが録画予約等の操作をする必要がないので、利便性良好にテレビジョン放送を録画することができるのである。
【００１２】
請求項２に記載の携帯受信装置によれば、外部からの操作入力が受け付けられて、受け付けられた操作入力に基づいて、映像記憶手段に格納された複数の映像情報の中から１の映像情報が選択され、選択された１の映像情報が映像記憶手段から読み出され、モニタに出力されるため、利便性良好に録画されたテレビジョン放送を視聴することができる。
【００１３】
請求項３に記載の携帯受信装置によれば、テレビジョン放送がデジタル方式のテレビジョン放送であって、外部からの操作入力を受け付けられて、受け付けられた操作入力に基づいて、ジャンル情報が設定される。また、受信手段を介してＥＰＧ（Ｅｌｅｃｔｒｏｎｉｃ  Ｐｒｏｇｒａｍ  Ｇｕｉｄｅ）情報が取得され、取得されたＥＰＧ情報から受信可能な番組のジャンル情報が抽出される。そして、取得されたジャンル情報に基づき、受信手段を介して受信可能な番組の中から、設定されたジャンル情報と一致するジャンル情報を有する番組が選択され、選択された番組に対応するテレビジョン放送が受信されて、受信された映像情報が映像記憶手段に書き込まれるため、更に利便性良好にテレビジョン放送を録画することができる。
【００１４】
すなわち、取得されたジャンル情報に基づき、受信手段を介して受信可能な番組の中から、設定されたジャンル情報と一致するジャンル情報を有する番組が選択され、選択された番組に対応するテレビジョン放送が受信されて、受信された映像情報が映像記憶手段に書き込まれるため、ユーザが視聴を所望するジャンルを設定しておくことによって、ユーザが所望するジャンルの番組が録画されるので、更に利便性良好にテレビジョン放送を録画することができるのである。
【００１５】
請求項４に記載の携帯受信装置によれば、映像記憶手段に格納された映像情報が、予め設定された第１上限容量に到達した場合に、映像記憶手段に格納された順に、第１上限容量未満の予め設定された第２上限容量に到達するまで、映像記憶手段に格納された映像情報が消去されるため、更に利便性良好にテレビジョン放送を録画することができる。
【００１６】
すなわち、映像記憶手段に格納された映像情報が、予め設定された第１上限容量に到達した場合に、映像記憶手段に格納された順に、第１上限容量未満の予め設定された第２上限容量に到達するまで、映像記憶手段に格納された映像情報が消去されるため、映像記憶手段に格納された映像情報を第２上限容量以上、且つ、第１上限容量以下の容量に制限することができ、映像記憶手段の容量を有効に利用することができるので、第１上限容量及び第２上限容量を適正な値に設定することによって、更に利便性良好にテレビジョン放送を録画することができるのである。
【発明を実施するための最良の形態】
【００１７】
以下に本発明の実施形態を、図面を参照しながら説明する。図１は、本発明に係るポータブルテレビ受信機の構成の一例を示すブロック図である。ポータブルテレビ受信機１（携帯受信装置に相当する）は、携帯可能に（＝小型軽量に）構成され、後述する操作部１４を介してユーザからの操作入力を受け付けて、受け付けた操作入力に基づいて、デジタル方式のテレビジョン放送を受信し、受信した映像情報をディスプレイ１７２に表示すると共に、受信した音声情報をスピーカ１６２に出力ものである。
【００１８】
ポータブルテレビ受信機１は、ＣＰＵ１１、ＲＡＭ１２、ＲＯＭ１３、操作部１４、受信部１５、音声出力部１６、画像出力部１７、及び、ＨＤＤ１８を備えている。
【００１９】
ＣＰＵ（Ｃｅｎｔｒａｌ  Ｐｒｏｃｅｓｓｉｎｇ  Ｕｎｉｔ）１１は、ポータブルテレビ受信機１全体の動作を制御するものである。ＲＡＭ（Ｒａｎｄｏｍ  Ａｃｃｅｓｓ  Ｍｅｍｏｒｙ）１２は、設定情報等の種々の情報を読み書き自在に格納するものである。ＲＯＭ（Ｒｅａｄ  Ｏｎｌｙ  Ｍｅｍｏｒｙ）１３は、ＣＰＵ１１を動作させる制御プログラム等を格納するものである。
【００２０】
操作部１４（ジャンル設定手段の一部、映像選択手段の一部に相当する）は、電源のＯＮ、ＯＦＦ操作、選局等の各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＭＰＥＧ２デコード部１５５を備えている。
【００２１】
アンテナ部１５１は、テレビジョン放送波を受信するものである。チューナ部１５２は、アンテナ部１５１で受信されたテレビジョン放送波から、予め設定された（又は、操作部１４を介して受け付けられた）チャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＭＰＥＧ（Ｍｏｔｉｏｎ  Ｐｉｃｔｕｒｅ  Ｅｘｐｅｒｔｓ  Ｇｒｏｕｐ）２デコード部１５５は、復調部１５４によって復調された出力情報を圧縮前の映像情報に復号化するものである。
【００２２】
音声出力部１６は、受信部１５によって受信されたテレビジョン放送に対応する音声信号をスピーカ１６２に対して出力するものであって、音声信号出力部１６１及びスピーカ１６２を備えている。音声信号出力部１６１は、復調部１５４から出力された音声情報をスピーカ１６２に対して出力するものである。スピーカ１６２は、音声信号出力部１６１から入力された音声信号に対応する音声を出力するものである。
【００２３】
画像出力部１７は、ＭＰＥＧ２デコード部１５５によって復号化された映像情報に対応する映像をディスプレイ１７２に表示するものであって、映像信号出力部１７１及びディスプレイ１７２を備えている。映像信号出力部１７１は、ＭＰＥＧ２デコード部１５５から出力された映像情報をディスプレイ１７２に対して出力するものである。ディスプレイ１７２（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、映像信号出力部１７１から入力された映像情報に対応する映像を表示するものである。
【００２４】
ＨＤＤ（Ｈａｒｄ  Ｄｉｓｋ  Ｄｒｉｖｅ）１８は、例えば、４０ＧＢ（ギガバイト）の容量を有し、受信部１５を介して受信された映像情報等を格納するものである。
【００２５】
次に、ポータブルテレビ受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって映像情報及び音声情報に復調される。復調部１５４によって復調された映像情報は、ＭＰＥＧ２デコード部１５５によって圧縮前の映像情報に復号化され、映像信号出力部１７１を介してディスプレイ１７２に映像が表示される。復調部１５４によって復調された音声情報は、音声信号出力部１６１を介してスピーカ１６２から音声が出力される。
【００２６】
図２は、本発明に係るポータブルテレビ受信機１における主要部の構成の一例を示すブロック図である。ＣＰＵ１１は、機能的に、受信可否判定部１１１、映像表示部１１２、受信処理判定部１１３、ジャンル設定部１１４、ジャンル取得部１１５、番組選択部１１６、映像記録部１１７、映像選択部１１８、及び、映像消去部１１９を備え、ＲＡＭ１２は、機能的に、ジャンル記憶部１２１を備え、ＨＤＤ１８は、機能的に、映像記憶部１８１を備えている。
【００２７】
ここでは、ＣＰＵ１１が、図１に示すＲＯＭ１３等に予め格納された制御プログラムを読み出して実行することにより、受信可否判定部１１１、映像表示部１１２、受信処理判定部１１３、ジャンル設定部１１４、ジャンル取得部１１５、番組選択部１１６、映像記録部１１７、映像選択部１１８、映像消去部１１９等の機能部として機能すると共に、ＲＡＭ１２を、ジャンル記憶部１２１等の機能部として機能させ、ＨＤＤ１８を、映像記憶部１８１等の機能部として機能させるものである。
【００２８】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００２９】
ジャンル記憶部１２１は、ジャンル設定部１１４によって設定されたジャンル情報を格納するものである。また、ジャンル記憶部１２１に格納されるジャンル情報は、ジャンル設定部１１４によって書き込まれ、番組選択部１１６によって読み出される。
【００３０】
映像記憶部１８１（映像記憶手段に相当する）は、受信部１５を介して受信された映像情報を格納するものである。また、映像記憶部１８１に格納される映像情報は、映像記録部１１７によって書き込まれ、映像表示部１１２によって読み出される。更に、映像記憶部１８１に格納される映像情報は、映像消去部１１９によって消去される。
【００３１】
受信可否判定部１１１（受信可否判定手段に相当する）は、受信部１５を介してテレビジョン放送を受信することができるか否かを判定するものである。具体的には、受信可否判定部１１１は、予め設定された複数のチャンネル（＝周波数帯域）毎に、受信部１５を介して受信されるテレビジョン放送波の受信強度を検出し、検出された受信強度が予め設定された閾値以上であるか否かによって、受信することができるか否かを判定するものである。なお、受信可否判定部１１１は、少なくとも１のチャンネル（＝周波数帯域）のテレビジョン放送が受信可能である場合に、テレビジョン放送を受信することができると判定し、テレビジョン放送が全く受信できない場合に、テレビジョン放送を受信することができないと判定するものである。
【００３２】
映像表示部１１２（映像表示手段に相当する）は、受信部１５を介して受信された映像情報をディスプレイ１７２に出力するものである。また、映像表示部１１２は、映像選択部１１８によって選択された１の映像情報を映像記憶部１８１から読み出し、ディスプレイ１７２に出力するものである。
【００３３】
受信処理判定部１１３（受信処理判定手段に相当する）は、受信部１５を介してテレビジョン放送が受信されているか否かを判定するものである。すなわち、受信処理判定部１１３は、受信部１５を介してテレビジョン放送が受信され、映像表示部１１２によって受信された映像情報をディスプレイ１７２に出力されているか否か（＝ユーザが視聴可能に受信部１５を介して受信されたテレビジョン放送に対応する映像がディスプレイ１７２に表示されているか否か）を判定するものである。
【００３４】
ジャンル設定部１１４（ジャンル設定手段の一部に相当する）は、操作部１４を介してユーザからの操作入力を受け付けて、受け付けられた操作入力に基づいて、ジャンル情報を設定し、設定されたジャンル情報をジャンル記憶部１２１に格納するものである。
【００３５】
ジャンル取得部１１５（ジャンル取得手段に相当する）は、受信部１５を介してＥＰＧ（Ｅｌｅｃｔｒｏｎｉｃ  Ｐｒｏｇｒａｍ  Ｇｕｉｄｅ）情報を取得し、取得されたＥＰＧ情報から受信可能な番組のジャンル情報を抽出するものである。
【００３６】
番組選択部１１６（番組選択手段に相当する）は、ジャンル取得部１１５によって取得されたジャンル情報に基づき、受信部１５を介して受信可能な番組の中から、ジャンル設定部１１４によって設定された（＝ジャンル記憶部１２１に格納された）ジャンル情報と一致するジャンル情報を有する番組を選択するものである。
【００３７】
また、番組選択部１１６は、ジャンル設定部１１４によって設定された（＝ジャンル記憶部１２１に格納された）ジャンル情報と一致するジャンル情報を有する番組が無い場合には、受信可能な番組の中から予め設定されたルールに則って１の番組を選択する（ここでは、受信可能な番組の中からランダムに１の番組を選択する）ものである。
【００３８】
映像記録部１１７（映像記録手段に相当する）は、番組選択部１１６によって選択された番組に対応するテレビジョン放送を、受信部１５を介して受信して、受信された映像情報を映像記憶部１８１に書き込むものである。
【００３９】
映像選択部１１８（映像選択手段の一部に相当する）は、操作部１４を介してユーザからの操作入力を受け付けて、受け付けられた操作入力に基づいて、映像記憶部１８１に格納された複数の映像情報の中から１の映像情報を選択するものである。具体的には、映像選択部１１８は、映像記憶部１８１に格納された複数の映像情報の一覧表（図５に示す録画番組再生画面２００）をディスプレイ１７２に表示し、操作部１４を介してユーザからの操作入力を受け付けて、受け付けられた操作入力に基づいて、映像記憶部１８１に格納された複数の映像情報の中から１の映像情報を選択するものである。
【００４０】
映像消去部１１９（映像消去手段に相当する）は、映像記憶部１８１に格納された映像情報が、予め設定された第１上限容量（例えば、３５ＧＢ）に到達した場合に、映像記録部１１７によって映像記憶部１８１に格納された順に、第１上限容量未満の予め設定された第２上限容量（例えば、３０ＧＢ）に到達するまで、映像記憶部１８１に格納された映像情報を消去するものである。
【００４１】
図３、図４は、ポータブルテレビ受信機１（主にＣＰＵ１１）の動作の一例を示すフローチャートである。なお、ここでは、便宜上、ジャンル記憶部１２１に予めジャンル情報が格納されている場合について説明する。まず、受信可否判定部１１１によって、受信部１５を介してテレビジョン放送を受信することができるか否かの判定が行われる（Ｓ１０１）。受信することができない（Ｓ１０１でＮＯ）には、処理が図４に示すステップＳ１１７に進められる。
【００４２】
受信することができる（Ｓ１０１でＹＥＳ）には、受信処理判定部１１３によって、受信部１５を介してテレビジョン放送が受信されているか否かが判定される（Ｓ１０３）。テレビジョン放送が受信されていると判定された場合（Ｓ１０３でＹＥＳ）には、処理がステップＳ１０１に戻され、ステップＳ１０１以降の処理が繰り返し実行される。テレビジョン放送が受信されていないと判定された場合（Ｓ１０３でＮＯ）には、ジャンル取得部１１５によって、ＥＰＧ情報が取得される（Ｓ１０５）。そして、ジャンル取得部１１５によって、ステップＳ１０５において取得されたＥＰＧ情報から受信可能な番組のジャンル情報が抽出される（Ｓ１０７）。
【００４３】
次いで、番組選択部１１６によって、ステップＳ１０７において抽出された番組のジャンル情報の中に、ジャンル記憶部１２１に格納されたジャンル情報と一致するものが有るか否かの判定が行われる（Ｓ１０９）。一致するものが有ると判定された場合（Ｓ１０９でＹＥＳ）には、番組選択部１１６によって、ジャンル記憶部１２１に格納されたジャンル情報と一致する番組が選択され、選択された番組が、映像記録部１１７によって受信部１５を介して受信される（Ｓ１１１）。一致するものがないと判定された場合（Ｓ１０９でＮＯ）には、番組選択部１１６によって、受信可能な番組の中からランダムに１の番組が選択され、選択された番組が、映像記録部１１７によって受信部１５を介して受信される（Ｓ１１３）。そして、ステップＳ１１１、又は、ステップＳ１１３において受信された番組が映像記録部１１７によって映像記憶部１８１に書き込まれ（Ｓ１１５）、処理がリターンされる。
【００４４】
ステップＳ１０１でＮＯの場合には、図４に示すように、映像選択部１１８によって、映像記憶部１８１に格納された複数の映像情報の一覧表（図５に示す録画番組再生画面２００）がディスプレイ１７２に表示される（Ｓ１１７）。そして、操作部１４を介してユーザからの映像情報の選択が受け付けられたか否かが判定される（Ｓ１１９）。映像情報の選択が受け付けられていないと判定された場合（Ｓ１１９でＮＯ）には、処理が待機状態とされる。映像情報の選択が受け付けられたと判定された場合（Ｓ１１９でＹＥＳ）には、映像表示部１１２によって、ステップＳ１１９において選択された１の映像情報が映像記憶部１８１から読み出され（Ｓ１２１）、ディスプレイ１７２に表示される（Ｓ１２３）。そして、映像表示部１１２によって、ステップＳ１１９において選択された１の映像情報の再生が終了したか否かの判定が行われる（Ｓ１２５）。映像情報の再生が終了していないと判定された場合（Ｓ１２５でＮＯ）には、処理がステップＳ１２１に戻され、ステップＳ１２１以降の処理が繰り返し実行される。映像情報の再生が終了したと判定された場合（Ｓ１２５でＹＥＳ）には、処理がリターンされる。
【００４５】
図５は、図４に示すフローチャートのステップＳ１１７においてディスプレイ１７２に表示される録画番組再生画面の一例を示す画面図である。録画番組再生画面２００には、画面略中央部に、映像情報一覧表示部２０１が表示され、画面下部に、再生ボタン２０３及びキャンセルボタン２０４が表示されている。映像情報一覧表示部２０１は、映像記憶部１８１に格納された映像情報の、チャンネル番号情報、番組名情報、録画された年月日情報、録画開始時刻情報。及び、録画終了時刻情報を対応付けて表示するものである。また、映像情報一覧表示部２０１に表示された映像情報の内、選択状態にある映像情報に対応する欄には選択状態表示マーク２０２が表示されている。
【００４６】
ユーザは、操作部１４を介して、選択状態表示マーク２０２の位置を変更することによって、再生を所望する映像情報を選択することができる。再生ボタン２０３は、選択状態表示マーク２０２に対応する映像情報を再生する場合に押下されるボタンである。キャンセルボタン２０４は、選択状態にある映像情報を元の状態（未選択の状態）に戻す場合に押下されるボタンである。
【００４７】
このようにして、受信部１５を介してテレビジョン放送が受信され、受信された映像情報がディスプレイ１７２に出力される。また、受信部１５を介してテレビジョン放送を受信することができるか否かが判定され、受信部１５を介してテレビジョン放送が受信されているか否かが判定される。そして、テレビジョン放送を受信することができると判定され、且つ、テレビジョン放送が受信されていないと判定された場合に、受信部１５を介して予め設定されたチャンネルのテレビジョン放送が受信され、受信された映像情報が映像記憶部１８１に書き込まれるため、利便性良好にテレビジョン放送を録画することができる。
【００４８】
すなわち、テレビジョン放送を受信することができると判定され、且つ、テレビジョン放送が受信されていないと判定された場合（＝受信可能状態にあるが、テレビジョン放送が視聴されていない場合）に、受信部１５を介して予め設定されたチャンネルのテレビジョン放送が受信され、受信された映像情報が映像記憶部１８１に書き込まれるため、ユーザが録画予約等の操作をする必要がないので、利便性良好にテレビジョン放送を録画することができるのである。
【００４９】
また、操作部１４を介してユーザからの操作入力が受け付けられて、受け付けられた操作入力に基づいて、映像記憶部１８１に格納された複数の映像情報の中から１の映像情報が選択され、選択された１の映像情報が映像記憶部１８１から読み出され、ディスプレイ１７２に出力されるため、利便性良好に録画されたテレビジョン放送を視聴することができる。
【００５０】
更に、テレビジョン放送がデジタル方式のテレビジョン放送であって、操作部１４を介してユーザからの操作入力を受け付けられて、受け付けられた操作入力に基づいて、ジャンル情報が設定される。また、受信部１５を介してＥＰＧ情報が取得され、取得されたＥＰＧ情報から受信可能な番組のジャンル情報が抽出される。そして、取得されたジャンル情報に基づき、受信部１５を介して受信可能な番組の中から、設定されたジャンル情報と一致するジャンル情報を有する番組が選択され、選択された番組に対応するテレビジョン放送が受信されて、受信された映像情報が映像記憶部１８１に書き込まれるため、更に利便性良好にテレビジョン放送を録画することができる。
【００５１】
すなわち、取得されたジャンル情報に基づき、受信部１５を介して受信可能な番組の中から、設定されたジャンル情報と一致するジャンル情報を有する番組が選択され、選択された番組に対応するテレビジョン放送が受信されて、受信された映像情報が映像記憶部１８１に書き込まれるため、ユーザが視聴を所望するジャンルを設定しておくことによって、ユーザが所望するジャンルの番組が録画されるので、更に利便性良好にテレビジョン放送を録画することができるのである。
【００５２】
加えて、映像記憶部１８１に格納された映像情報が、予め設定された第１上限容量（ここでは、３５ＧＢ）に到達した場合に、映像記憶手段に格納された順に、第１上限容量未満の予め設定された第２上限容量（ここでは、３０ＧＢ）に到達するまで、映像記憶部１８１に格納された映像情報が消去されるため、更に利便性良好にテレビジョン放送を録画することができる。
【００５３】
すなわち、映像記憶部１８１に格納された映像情報が、予め設定された第１上限容量（ここでは、３５ＧＢ）に到達した場合に、映像記憶部１８１に格納された順に、第１上限容量未満の予め設定された第２上限容量（ここでは、３０ＧＢ）に到達するまで、映像記憶部１８１に格納された映像情報が消去されるため、映像記憶部１８１に格納された映像情報を第２上限容量（ここでは、３０ＧＢ）以上、且つ、第１上限容量（ここでは、３５ＧＢ）以下の容量に制限することができ、映像記憶部１８１の容量を有効に利用することができるので、第１上限容量及び第２上限容量を適正な値に設定することによって、更に利便性良好にテレビジョン放送を録画することができるのである。
【００５４】
なお、本発明は、以下の形態にも適用可能である。
（Ａ）本実施形態では、携帯受信装置が、デジタル方式のテレビジョン放送を受信するポータブルテレビ受信機１である場合について説明したが、携帯受信装置が、携帯可能に構成され、テレビジョン放送を受信して、受信した映像情報を外部から視認可能にモニタに出力するものであればよい。例えば、携帯受信装置が、テレビジョン放送を受信可能に構成された携帯電話機である形態でもよい。
【００５５】
（Ｂ）本実施形態では、ＣＰＵ１１が、機能的に、受信可否判定部１１１、映像表示部１１２、受信処理判定部１１３、ジャンル設定部１１４、ジャンル取得部１１５、番組選択部１１６、映像記録部１１７、映像選択部１１８、映像消去部１１９等の機能部を備える場合について説明したが、受信可否判定部１１１、映像表示部１１２、受信処理判定部１１３、ジャンル設定部１１４、ジャンル取得部１１５、番組選択部１１６、映像記録部１１７、映像選択部１１８、及び、映像消去部１１９の内、少なくとも１の機能部が回路等のハードウェアによって実現されている形態でもよい。
【００５６】
（Ｃ）本実施形態では、映像記憶部１８１が、ＨＤＤ１８に機能的に備えられている場合について説明したが、映像記憶部１８１が、他の種類の記録媒体（例えば、ＩＣメモリ等）に機能的に備えられている形態でもよい。
【図面の簡単な説明】
【００５７】
【図１】は、本発明に係るポータブルテレビ受信機の構成の一例を示すブロック図である。
【図２】は、本発明に係るポータブルテレビ受信機における主要部の構成の一例を示すブロック図である。
【図３】は、ポータブルテレビ受信機（主にＣＰＵ）の動作の一例を示すフローチャート（前半部）である。
【図４】は、ポータブルテレビ受信機（主にＣＰＵ）の動作の一例を示すフローチャート（後半部）である。
【図５】は、図４に示すフローチャートのステップＳ１１７においてディスプレイに表示される録画番組再生画面の一例を示す画面図である。
【符号の説明】
【００５８】
１    ポータブルテレビ受信機（携帯受信装置）
１１    ＣＰＵ
１１１    受信可否判定部（受信可否判定手段）
１１２    映像表示部（映像表示手段）
１１３    受信処理判定部（受信処理判定手段）
１１４    ジャンル設定部（ジャンル設定手段の一部）
１１５    ジャンル取得部（ジャンル取得手段）
１１６    番組選択部（番組選択手段）
１１７    映像記録部（映像記録手段）
１１８    映像選択部（映像選択手段の一部）
１１９    映像消去部（映像消去手段）
１２    ＲＡＭ
１２１    ジャンル記憶部
１４    操作部（ジャンル設定手段の一部、映像選択手段の一部）
１５    受信部（受信手段）
１６    音声出力部
１６２    スピーカ
１７    画像出力部
１７２    ディスプレイ（モニタ）
１８    ＨＤＤ
１８１    映像記憶部（映像記憶手段）
【図１】
2008288645.tif 000003
【図２】
2008288645.tif 000004
【図３】
2008288645.tif 000005
【図４】
2008288645.tif 000006
【図５】
2008288645.tif 000007